(57)【要約】  【課題】  アイロンがけやスチームプレス等の熱処理を行わなくても繊維製品のしわを除去することのできる、しわ除去組成物の提供。  【解決手段】  （ａ）平均分子量100〜500の炭化水素、平均分子量100〜300のアルコール、式（Ｉ）又は(II)で表される化合物、平均分子量100〜500の脂肪酸、炭素数１２〜２４の脂肪酸のグリセライド、スクアラン、コレステロールから選ばれる油性化合物、（ｂ）乳化剤、及び水を含有し、（ａ）成分の含有量が０．０１〜１０重量％、乳化液滴の平均粒径が０．１〜１０μｍであるＯ／Ｗエマルジョン型しわ除去組成物、並びにこのしわ除去組成物を繊維製品に付与する、繊維製品のしわ除去方法。【化１】2005232607.tif 000005（式中、Ｒ1はＣ8-20の１価炭化水素基、Ｒ2はＣ1-20の１価炭化水素基、Ｒ3及びＲ4はＣ4-18の１価炭化水素基を示す。）【選択図】  なし【特許請求の範囲】
【請求項１】
（ａ）下記（ａ１）〜（ａ７）から選ばれる少なくとも１種の油性化合物、（ｂ）乳化剤、及び水を含有し、（ａ）成分の含有量が０．０１〜１０重量％、乳化液滴の平均粒径が０．１〜１０μｍであるＯ／Ｗエマルジョン型しわ除去組成物。
（ａ１）平均分子量１００〜５００の飽和又は不飽和の直鎖もしくは分岐鎖炭化水素
（ａ２）平均分子量１００〜３００の１級又は２級アルコール
（ａ３）下記式（Ｉ）又は(II)で表されるエステル化合物又はエーテル化合物
【化１】
2005232607.tif 000004
（式中、Ｒ1は炭素数８〜２０の飽和又は不飽和の直鎖もしくは分岐鎖の１価炭化水素基、Ｒ2は炭素数１〜２０の飽和又は不飽和の直鎖もしくは分岐鎖の１価炭化水素基、Ｒ3及びＲ4は、それぞれ独立に炭素数４〜１８の飽和又は不飽和の直鎖もしくは分岐鎖の１価炭化水素基を示す。）
（ａ４）平均分子量１００〜５００の脂肪酸
（ａ５）炭素数１２〜２４の脂肪酸のトリ、ジ又はモノグリセライド
（ａ６）スクアラン
（ａ７）コレステロール
【請求項２】
（ａ）成分が、（ａ１）〜（ａ３）から選ばれる少なくとも１種である請求項１記載のしわ除去組成物。
【請求項３】
（ａ）成分が、平均分子量２００〜４００の流動パラフィンである請求項１記載のしわ除去組成物。
【請求項４】
（ｂ）成分が、ＨＬＢ（グリフィン法）が４．０〜１５．０の非イオン界面活性剤、炭素数１０〜１６の１価炭化水素基を１〜３個有する陽イオン界面活性剤、炭素数６〜１４の１価炭化水素基を有する陰イオン界面活性剤から選ばれる少なくとも１種である請求項１〜３いずれかに記載のしわ除去組成物。
【請求項５】
更に、シリコーン化合物を含有する請求項１〜４いずれかに記載のしわ除去組成物。
【請求項６】
請求項１〜５いずれかに記載のしわ除去組成物を、繊維製品に付与する、繊維製品のしわ除去方法。
【請求項７】
熱処理を行わない請求項６記載のしわ除去方法。
【発明の詳細な説明】
【技術分野】
【０００１】
本発明は、繊維製品のしわを除去することができ、特にアイロン等の熱処理を行わなくても効果的にしわを除去することができる、しわ除去組成物及びしわ除去方法に関する。
【背景技術】
【０００２】
一般にスーツ等のドライクリーニング衣類は家庭での水洗いが困難であり、それらのしわ取り方法については、一般にアイロンがけやスチームプレス等の熱処理を行う方法がある。熱処理を行わずに衣類のしわを伸ばす手段として、特許文献１にヘキシレングリコールやイソプレングリコール等の特定の水溶性溶剤と水を組み合わせた組成物を衣類のしわ部にスプレーした後、放置するだけでしわ部を取り除く方法が開示されている。しかし、この方法では衣類についた軽いしわは取り除けるが、深いしわを完全に除去するのは困難である。また、特許文献２、特許文献３、特許文献４、特許文献５には、布帛のしわ取り剤組成物及び方法が開示されている。これらの方法は、組成物を布帛にスプレー噴霧した後で吊り下げて自然乾燥するか、アイロン掛けを行うことでしわを除去しているが、自然乾燥だけでは十分にしわを除去することができず、またアイロン掛けはしわ取りには非常に効果的であるが、手間がかかる作業である上、風合い回復の上では不十分である。
【特許文献１】特開平１０−２５６６０号公報
【特許文献２】特表平１０−５０８９１１号公報
【特許文献３】国際公開第９９／５５９５２号パンフレット
【特許文献４】国際公開第９９／５５９５３号パンフレット
【特許文献５】特開平１−６１７４号公報
【発明の開示】
【発明が解決しようとする課題】
【０００３】
本発明の課題は、アイロンがけやスチームプレス等の熱処理を行わなくても繊維製品のしわを十分に除去することができる、しわ除去組成物及びしわ除去方法を提供することにある。
【課題を解決するための手段】
【０００４】
本発明は、（ａ）下記（ａ１）〜（ａ７）から選ばれる少なくとも１種の油性化合物、（ｂ）乳化剤、及び水を含有し、（ａ）成分の含有量が０．０１〜１０重量％、乳化液滴の平均粒径が０．１〜１０μｍであるＯ／Ｗエマルジョン型しわ除去組成物、更にシリコーン化合物（以下、（ｃ）成分という）を含有するＯ／Ｗエマルジョン型しわ除去組成物、並びにこれらのしわ除去組成物を繊維製品に付与する、繊維製品のしわ除去方法を提供する。
（ａ１）平均分子量１００〜５００の飽和又は不飽和の直鎖もしくは分岐鎖炭化水素
（ａ２）平均分子量１００〜３００の１級又は２級アルコール
（ａ３）下記式（Ｉ）又は(II)で表されるエステル化合物又はエーテル化合物
【０００５】
【化２】
2005232607.tif 000002
【０００６】
（式中、Ｒ1は炭素数８〜２０の飽和又は不飽和の直鎖もしくは分岐鎖の１価炭化水素基、Ｒ2は炭素数１〜２０の飽和又は不飽和の直鎖もしくは分岐鎖の１価炭化水素基、Ｒ3及びＲ4は、それぞれ独立に炭素数４〜１８の飽和又は不飽和の直鎖もしくは分岐鎖の１価炭化水素基を示す。）
（ａ４）平均分子量１００〜５００の脂肪酸
（ａ５）炭素数１２〜２４の脂肪酸のトリ、ジ又はモノグリセライド
（ａ６）スクアラン
（ａ７）コレステロール
【発明の効果】
【０００７】
本発明のしわ除去組成物は、繊維製品にスプレーするだけで繊維製品のしわを効果的に除去することができ、特にアイロンがけやスチームプレス等の熱処理を行わなくても、繊維製品のしわを効果的に除去することができる。
【発明を実施するための最良の形態】
【０００８】
［（ａ）成分］
本発明の（ａ）成分は、上記（ａ１）〜（ａ７）から選ばれる少なくとも１種の油性化合物である。
【０００９】
（ａ１）の炭化水素は、平均分子量１００〜５００の飽和又は不飽和の直鎖もしくは分岐鎖炭化水素であり、例えば石油から分離精製されるパラフィン系化合物を主成分とする留分、流動パラフィン等のパラフィン系オイル等が挙げられる。これらの中では平均分子量２００〜４００の流動パラフィンが好ましい。
【００１０】
（ａ２）の平均分子量１００〜３００の１級又は２級アルコールとしては、炭素数８〜２０の１級又は２級アルコールが挙げられ、炭素数１４〜２０のアルコールが好ましい。
【００１１】
（ａ３）の上記式（Ｉ）又は(II)で表されるエステル化合物又はエーテル化合物としては、Ｒ1が炭素数８〜２０のアルキル基又はアルケニル基で、Ｒ2が炭素数１〜２０のアルキル基であるエステル化合物、Ｒ3及びＲ4が炭素数４〜１０のアルキル基であるエーテル化合物が好ましい。
【００１２】
（ａ４）の平均分子量１００〜５００の脂肪酸としては、飽和又は不飽和の直鎖もしくは分岐鎖を有する脂肪酸のいずれでも良い。具体的には、炭素数６〜２０の脂肪酸が挙げられ、ヘキサン酸、オクタン酸、デカン酸が好ましい。
【００１３】
（ａ５）の炭素数１２〜２４の脂肪酸のトリ、ジ又はモノグリセライドとしては、トリ、ジ又はモノミリスチン、トリ、ジ又はモノステアリン、トリ、ジ又はモノオレイン、トリ、ジ又はモノエルシン等が挙げられ、トリ、ジ又はモノミリスチン、トリ、ジ又はモノステアリン等の飽和脂肪酸のグリセライドが好ましく、トリミリスチン、トリステアリン等のトリグリセライドが更に好ましい。
【００１４】
これらの（ａ）成分の中では、（ａ１）〜（ａ３）成分から選ばれる少なくとも１種が好ましく、（ａ１）及び（ａ２）成分が好ましく、（ａ１）成分が更に好ましく、平均分子量２００〜４００の流動パラフィンが特に好ましい。
【００１５】
［（ｂ）成分］
本発明の（ｂ）成分の乳化剤としては、ポリオキシアルキレンアルキル又はアルケニルエーテル、ポリオキシアルキレンアルキルフェニルエーテル、脂肪酸アルカノールアミド又はそのアルキレンオキサイド付加物、ショ糖脂肪酸エステル、アルキルグルコシド等の非イオン界面活性剤；モノ長鎖アルキル４級アンモニウム塩、ジ長鎖アルキル４級アンモニウム塩、トリ長鎖アルキル４級アンモニウム塩等の陽イオン界面活性剤；アルキルベンゼンスルホン酸又はその塩、アルキル硫酸エステル塩、ポリオキシアルキレンアルキルエーテル硫酸エステル塩、オレフインスルホン酸塩、アルカンスルホン酸塩、脂防酸塩等の陰イオン界面活性剤；アミンオキサイド、スルホベタイン、カルボベタイン等の両性界面活性剤が挙げられ、ＨＬＢ（グリフィン法、以下同じ）が４．０〜１５．０の非イオン界面活性剤、炭素数１０〜１６の１価炭化水素基を１〜３個有する陽イオン界面活性剤、炭素数６〜１４の１価炭化水素基を有する陰イオン界面活性剤から選ばれる少なくとも１種が好ましい。
【００１６】
本発明で特に好ましい乳化剤は、一般式(III)で表される非イオン界面活性剤である。
【００１７】
Ｒ5−Ｏ−(Ｒ6Ｏ)p−Ｈ   (III)
〔式中、Ｒ5は、炭素数８〜２２、好ましくは１０〜２０の直鎖又は分岐鎖のアルキル基あるいはアルケニル基であり、Ｒ6は炭素数２〜８のアルキレン基であり、好ましくはエチレン基である。また、ｐは平均付加モル数を示す０．５〜３０、好ましくは１〜２０、特に好ましくは１〜１０の数である。〕
一般式(III)で表される化合物としては、例えば式(IV)又は（Ｖ）で表される化合物が挙げられる。
【００１８】
Ｒ7−Ｏ−(Ｃ2Ｈ4Ｏ)r−Ｈ   (IV)
〔式中、Ｒ7は炭素数１０〜１８の直鎖又は分岐鎖のアルキル基であり、ｒは平均付加モル数を示す１〜１０、好ましくは１〜８の数である。〕
Ｒ8−Ｏ−(Ｃ2Ｈ4Ｏ)s−(Ｃ3Ｈ6Ｏ)t−Ｈ   （Ｖ）
〔式中、Ｒ8は炭素数１０〜１８の直鎖又は分岐鎖のアルキル基であり、ｓ及びｔはそれぞれ平均付加モル数を示し、ｓは１〜１０、ｔは１〜１０の数である。エチレンオキサイドとプロピレンオキサイドは、ランダム付加でもブロック付加でもよく、エチレンオキサイドとプロピレンオキサイドの付加順序は問わない。〕
［（ｃ）成分］
（ｃ）成分のシリコーン化合物としては、特に繊維の潤滑剤として用いることができるものが好ましい。具体的には、ジメチルポリシロキサン（以下、ジメチルシリコーンという）、又はジメチルシリコーンの側鎖もしくは末端のメチル基の一部がヒドロキシ基になっているオルガノポリシロキサン（以下、ヒドロキシシリコーンという）、前記ジメチルシリコーン又はヒドロキシシリコーンのメチル基（好ましくは側鎖のメチル基）の一部がメチル基以外の有機基になっているオルガノポリシロキサン（以下、変性シリコーンという）、ジメチルシロキサン鎖の中に有機基が導入されており末端がメチル基以外の有機基になっているオルガノポリシロキサン（以下、末端変性シリコーンという）等が挙げられる。
【００１９】
変性シリコーンのメチル基以外の有機基としては、アミノ基を含む有機基、４級アンモニウム基を含む有機基、アミド基を含む有機基、ポリエーテル基を含む有機基、エポキシ基を含む有機基、カルボキシ基を含む有機基、アルキル基を含む有機基又はハロゲノアルキル基、ハロゲノアルキレン基もしくはハロゲノアリール基を含む有機基、ポリ（Ｎ−アシルアルキレンイミン）鎖を含む有機基等が挙げられる。
【００２０】
これらのシリコーン化合物の中では、シリコーンオイルと呼ばれる０〜４０℃の温度で液状のシリコーン化合物が好ましい。
【００２１】
［しわ除去組成物］
本発明のしわ除去組成物は、上記（ａ）成分、（ｂ）成分及び水、更に必要により（ｃ）成分を含有するＯ／Ｗエマルジョン型の組成物である。本発明に係わるＯ／Ｗエマルジョンの乳化液滴の平均粒径は、繊維に油剤をできるだけ少量で均一に塗布することで、水分の蒸散速度を低減させて、しわを抑制し、且つ油剤による染みを抑制する観点から、０．１〜１０μｍであり、０．１〜３μｍが好ましい。
【００２２】
尚、本発明の乳化液滴の平均粒径は、動的光散乱計（大塚電子製、ELS-800）を用いて測定することができる。
【００２３】
本発明のしわ除去組成物中の（ａ）成分の含有量は、水分の蒸散速度を低減し、乾燥速度を低下させ、しわ発生を抑制させる観点から、０．０１〜１０重量％が好ましく、０．０５〜２．０重量％が更に好ましく、０．０１〜０．５重量％が特に好ましい。（ｂ）成分の含有量は、（ａ）成分を効率的に乳化させる観点から、０．０１〜２０重量％が好ましく、０．１〜１０重量％が更に好ましく、０．２〜１．０重量％が特に好ましい。
【００２４】
本発明の組成物は、衣類が乾燥した状態での繊維同士の滑り性を向上させるために、（ｃ）成分を含有することが好ましく、（ｃ）成分の含有量は、０．０２〜３．０重量％が好ましく、０．１〜０．５重量％が更に好ましい。
【００２５】
本発明のしわ除去組成物は、上記（ａ）〜（ｃ）成分以外に、香料、殺菌剤、防腐剤等を配合することができる。
【００２６】
本発明のＯ／Ｗエマルジョン型しわ除去組成物の製造法は特に限定されないが、例えば、上記各成分を水と混合し、乳化液滴の平均粒径が０．１〜１０μｍとなるように、ホモミキサー等で撹拌することにより得られる。
【００２７】
［しわ除去方法］
本発明のしわ除去方法は、上記のような本発明のしわ除去組成物を、繊維製品に付与することにより、繊維製品のしわを除去する方法であり、アイロンがけやスチームプレス等の熱処理を行わなくてもしわを除去することができる。また、必要により熱処理を行ってもよい。
【００２８】
本発明のしわ除去組成物を繊維製品に付与する方法としては、スプレー法が好ましく、噴霧装置を具備する容器に本発明のしわ除去組成物を充填し、繊維製品にスプレーすることが好ましい。噴霧装置としてはトリガー式が好ましく、特に実開平４−３７５５４号公報の第１図に示されているような液垂れや噴霧の均一性に優れる蓄圧式トリガーを用いることが良好である。
【実施例】
【００２９】
実施例１〜９及び比較例１〜３
下記成分を表１に示す割合で用い、（ａ）成分の（ｂ）成分を混合し、そこに（ａ）成分と等重量の水を混合し、ホモミキサーを用いて４０００ｒｐｍで１０分間攪拌した。攪拌後、残りの成分や水を加えて３０００ｒｐｍで１０分間攪拌してＯ／Ｗエマルション溶液を調製し、しわ除去組成物とした。Ｏ／Ｗエマルションの乳化液滴の平均粒径は、動的光散乱計（大塚電子製、ELS-800）を用いて測定した。得られた組成物について、下記方法でしわ取り性を評価した。乳化液滴の平均粒径及び評価結果を表１に示す。 
【００３０】
＜配合成分＞
（ａ−１）：流動パラフィン（モレスコホワイトＰ−５５、松村石油（株）製、平均分子量２９６）
（ａ−２）：流動パラフィン（モレスコホワイトＰ−１２０、松村石油（株）製、平均分子量３６５）
（ａ−３）：セチルアルコール（和光純薬（株）製）
（ｂ−１）：炭素数１０〜１４の直鎖第１級アルコールにＥＯを平均５モル付加した非イオン界面活性剤（ＨＬＢ１０．８）
（ｂ−２）：炭素数１０〜１４の直鎖第１級アルコールにＥＯを平均４モル付加した非イオン界面活性剤（ＨＬＢ９．６）
（ｂ−３）：炭素数１０〜１４の直鎖第１級アルコールにＥＯを平均９モル付加した非イオン界面活性剤（ＨＬＢ１３．５）
（ｃ−１）：ＡＢＮ ＳＩＬＷＥＴ ＦＺ−２２０３（日本ユニカー（株）製、ジメチルポリシロキサンとポリアルキレンオキサイドの共重合体）
（ｃ−２）：ＬＥ−４６３（日本ユニカー（株）製、ジメチルポリシロキサンの乳化物）
＜しわ取り性の評価法＞
（１）スプレーしわ取り性の評価
木綿ブロード＃６０（染色試材、（株）谷頭商店）及びウール生地（ウールサージ、（株）谷頭商店）からなる試験布２０ｃｍ×１０ｃｍにイオン交換水をスプレー噴霧して湿潤させた後、試験布を２つ折りにして、４０℃に設定した恒温室内で折り目部分に２ｋｇの重りを載せ、２４時間放置することによってしわをつけ、これをしわ取り評価のモデルじわとした。 
【００３１】
これらモデルじわのついた試験布に対し、試験布乾燥時重量に対して５０重量％のしわ除去組成物をスプレー容器（キャニヨン製、Ｔ−７５００）で噴霧した後、２５℃／５０％ＲＨの恒温室に１２時間放置し、自然乾燥させた。乾燥終了後、試験布のしわの取れ具合を判定した。 
【００３２】
判定はしわ除去組成物をスプレー処理した布と、処理前の布（対照）とを、５名のパネラーに以下の基準で採点してもらい、その平均値を求めて評価点とした。 
・しわ判定基準
５：全くしわがない
４：ほとんどしわがない
３：僅かにしわが残っている
２：相当しわが残っている
１：著しくしわが残っている。
【００３３】
（２）アイロンがけしわ取り性の評価
（１）の評価と同様に、作成した木綿試験布に対し、試験布乾燥時重量に対して５０重量％のしわ除去組成物をスプレーした後、各試験布を乾燥させずに家庭用アイロン（松下電器製ＮＩ−Ａ５５自動アイロン、温度は木綿設定）でアイロンがけ処理を行い、その処理布を２５℃／５０％ＲＨの恒温室に１２時間以上放置し、試験布のしわの取れ具合を、（１）と同様に判定した。
【００３４】
【表１】
2005232607.tif 000003